(57)【要約】  【課題】    携帯無線機は、組み立て後の無線機の受信感度にバラつきがあると、再度、感度調整等の調整工程が必要となり、組み立てが容易で、受信感度が良く、感度バラつきの少ない携帯無線機の実現が望まれている。  【解決手段】  少なくとも内面が導電性部材で構成された筐体と、上記筐体に装着されたアンテナと、上記アンテナの外部導体と勘合される金属部材と、上記筐体内に装着され、少なくともシャーシ部分を有する基板ユニットを有し、上記金属部材は、複数のバネ部材を備え、上記基板ユニットの上記シャーシ部分が上記複数のバネ部材に押圧を与えることにより、上記金属部材が上記筐体および上記アンテナの外部導体に密着させるように構成される。【選択図】  図１
2008061204.tif 000002
【特許請求の範囲】
【請求項１】
少なくとも内面が導電性部材で構成された筐体と、上記筐体に装着されたアンテナと、上記アンテナの外部導体と勘合される金属部材と、上記筐体内に装着され、少なくともシャーシ部分を有する基板ユニットを有し、上記金属部材は、複数のバネ部材を備え、上記基板ユニットの上記シャーシ部分が上記複数のバネ部材に押圧を与えることにより、上記金属部材が上記筐体および上記アンテナの外部導体に密着させることを特徴とする携帯無線機。
【発明の詳細な説明】
【技術分野】
【０００１】
本発明は、携帯無線機に関し、特に、アンテナの受信感度を高めた携帯無線機に関するものである。
【背景技術】
【０００２】
従来の携帯無線機のアンテナ取り付け部では、導電性ガスケットを無線機の筐体接地面とアンテナのコネクタとの間に配置し、両面テープで貼付け、アンテナの外部導体と導電性ガスケットを固定していた。その後、携帯無線機の回路部分を搭載した基板ユニットを携帯無線機の筐体に組込み、導電性ガスケットを挟み込み、携帯無線機の筐体と、アンテナのコネクタ、導電性ガスケットおよび基板ユニットを密着させる構造としていた。しかしながら、導電性ガスケットは、電気抵抗も高く、変形し易いという欠点がある。その為、携帯無線機の組み立て過程で、組み立てのバラつきが発生し、携帯無線機の受信感度にバラつきが発生することが分かった。
【０００３】
而して、携帯無線機は、多量に組み立て生産される機種であり、組み立て後の無線機の受信感度にバラつきがあると、再度、感度調整等の調整工程が必要となり、出荷に支障をきたすこととなる。従って、組み立てが容易で、受信感度が良く、そして、感度バラつきのない、あるいは、少ない携帯無線機の実現が望まれている。
【０００４】
【特許文献１】特に、発見されていない。
【発明の開示】
【発明が解決しようとする課題】
【０００５】
携帯無線機は、多量に組み立て生産される機種であり、組み立て後の無線機の受信感度にバラつきがあると、再度、感度調整等の調整工程が必要となり、組み立てが容易で、受信感度が良く、感度バラつきの少ない携帯無線機の実現が望まれている。
【０００６】
本発明の目的は、受信感度を向上させた携帯無線機を提供することである。
【０００７】
本発明の他の目的は、感度バラつきのない、あるいは、少ない携帯無線機を提供することである。
【０００８】
本発明の更に他の目的は、組み立てが容易な携帯無線機を提供することである。
【課題を解決するための手段】
【０００９】
本発明は、少なくとも内面が導電性部材で構成された筐体と、上記筐体に装着されたアンテナと、上記アンテナの外部導体と勘合される金属部材と、上記筐体内に装着され、少なくともシャーシ部分を有する基板ユニットを有し、上記金属部材は、複数のバネ部材を備え、上記基板ユニットの上記シャーシ部分が上記複数のバネ部材に押圧を与えることにより、上記金属部材が上記筐体および上記アンテナの外部導体に密着するように構成される。
【００１０】
また、本発明の携帯無線機において、上記金属部材は、上記アンテナからの同軸ケーブルが導出される穴部と少なくとも１つの突出部を有し、上記突出部に上記バネ部材が設けられ、上記バネ部材は、弾性変形内でたわむ程度の押圧が上記シャーシ部分から加えられるように構成される。
【発明の効果】
【００１１】
以上説明したように、本発明によれば、受信感度の良い携帯無線機が実現できる。また、組み立てが容易で、受信感度のバラつきが少ないため、量産機種である携帯無線機として極めて優れている。
【発明を実施するための最良の形態】
【００１２】
以下、本発明の一実施例を図１〜図４を用いて説明する。図１は、本発明で用いられる板金部材１０１を示している。この板金部材１０１は、アルミニュームや銅等の電気伝導の良い金属で構成されている。図１において、図１（Ａ）は、板金部材を上から見た平面図、図１（Ｂ）は、板金部材の平面図、図１（Ｃ）は、板金部材の側面図である。図２は、図１に示す板金部材を携帯無線機のアンテナ部分に装着した状態を示す斜視図である。図３は、アンテナ接続部分の拡大図である。図４は、アンテナ接続部分に板金部材を装着した側面図を示している。
【００１３】
図１〜図４において、１０１は、板金部材、１０２は、板金部材１０１の穴部を示し、この穴部１０２にアンテナ接続部の突起部３０１（図３に示す。）が勘合する。１０３は、弾性を有するバネ部材（以下、第１のバネ部材という。）、１０４は、板金部材１０１の突出部（以下、右突出部と称する。）、１０５は、右突出部１０４に設けられた弾性を有するバネ部材（以下、第２のバネ部材という。）である。１０６は、板金部材１０１の突出部（以下、左突出部と称する。）、１０７は、左突出部１０６に設けられた弾性を有するバネ部材（以下、第３のバネ部材という。）である。１０８は、板金部材１０１をアンテナ接続部に装着する場合の位置合わせ用突起部、１０９は、穴部１０２の側壁である。１０８および１０９については後述する。なお、右突出部１０４および左突出部１０６の長さや形状は、携帯無線機の構造によって種々設定される。また、第１のバネ部材１０３は、２個、第２のバネ部材１０５は、３個、第３のバネ部材１０７は、１個設けられているが、これらに限定されるものではない。更に、各バネ部材は、板金部材１０１の一部分を湾曲加工して弾性力を持たせている。
【００１４】
図２は、アンテナ２０１をアンテナ接続部２０２を介して携帯無線機の筐体２０４に装着した状態を示している。２０３は、アンテナ接続部２０２の円形凸部を示し、この円形凸部２０３が携帯無線機の筐体２０４と勘合してアンテナ２０１を筐体２０４に固定している。また、板金部材１０１の穴部１０２には、図３に示すようにアンテナ接続部２０２の円形凸部２０３上に形成された一部矩形状の凸部３０１が挿入されるように構成されている。２０５は、アンテナ２０１からの信号を携帯無線機の回路部分を搭載した基板ユニットに伝送するための同軸線路（または同軸ケーブル）である。
【００１５】
図４は、携帯無線機の一部側面図を示し、アンテナ２０１がアンテナ接続部２０２を介して筐体２０４に取り付けられた状態を示している。そして、アンテナ２０１は、外部導体と内部導体（図示せず。）で構成され、アンテナ接続部２０２の円形凸部２０３および円形凸部２０３上に形成された一部矩形状の凸部３０１は、導電性の部材、例えば、アルミニュームや銅等の電気伝導の良い金属で構成されている。４０１は、ＲＦ回路部（高周波回路部）やＩＦ部（中間周波回路部）等の携帯無線機の送受信回路部を搭載したシャーシであり、４０２は、携帯無線機の送受信回路部の基板ユニットを示している。
【００１６】
そして、携帯無線機を組み立てた場合、即ち、携帯無線機の送受信回路部を筐体２０４に装着した場合、送受信回路部を搭載したシャーシ４０１は、その端部４０３が第２のバネ部材１０５および第３のバネ部材１０７に押圧を与え、板金部材１０１を筐体２０４に押付ける働きをする。図４では、４０５で示す部分で板金部材１０１が筐体２０４に密着している。また、携帯無線機の送受信回路部の基板ユニット４０２は、その端部４０４が第１のバネ部材１０３に押圧を与え、板金部材１０１をアンテナ接続部２０２の円形凸部２０３上に形成された一部矩形状の凸部３０１に押付ける働きをする。図４では、４０６で示される部分で板金部材１０１が一部矩形状の凸部３０１の面に密着している。
【００１７】
以上のように構成することによって本発明の携帯無線機が受信感度が良く、組み立てが容易で、しかも、受信感度のバラつきが少ないことを説明する。まず、携帯無線機の受信感度をよくするためには、アンテナの外部導体がアース電位であることが必要である。また、送受信回路部を搭載したシャーシ４０１および携帯無線機の送受信回路部の基板ユニット４０４のアース電位部分は、できるだけ筐体２０４と同電位、即ち、アース電位であることが必要である。そのため、本発明で使用される板金部材１０１は、これら全ての目的を達成するような構成を備えている。まず、板金部材１０１に穴部１０２を設け、その穴部１０２にアンテナ２０１のケーブルを通過させ、アンテナ部の外部導体（一部矩形状の凸部３０１）と板金部材１０１を合致させる構造とした。また、その際、合致した部位が動かないようにするために位置合わせ用突起部１０８と穴部１０２の側壁１０９がアンテナ接続部２０２の円形凸部２０３上に形成された一部矩形状の凸部３０１に勘合するように構成されている。これによって板金部材１０１が容易に、しかも、どの携帯無線機であってもアンテナ接続部２０２の同じ位置でアンテナの外部導体に取り付けることが可能となる。また、このように構成するとアンテナ接続部２０２に板金部材１０１を組み込んだ時に、板金部材１０１の自重落下防止の役割を果たし、また、回転防止の役割も果たす。従って、組み立てが極めて簡単であり、しかも、位置決めが正確に行われるので、受信感度のバラつきも少なくできる。
【００１８】
次に、板金部材１０１に第１のバネ部材１０３、第２のバネ部材１０５、第３のバネ部材１０７を設け、携帯無線機の送受信回路部を搭載したシャーシ４０１および送受信回路部の基板ユニット４０２は、第２のバネ部材１０５、第３のバネ部材１０７および第１のバネ部材１０３に押圧を与え、板金部材１０１を筐体２０４およびアンテナ接続部２０２の一部矩形状の凸部３０１に押付け、密着させることができるので、アンテナの外部導体、板金部材１０１および筐体２０４との接触を高める構造となっている。更に、携帯無線機の送受信回路部を搭載したシャーシ４０１および送受信回路部の基板ユニット４０２のアース部分も板金部材１０１を介して筐体２０４に確実に接触されるので、これらも筐体２０４と同電位に保つことが可能となる。なお、上述した筐体２０４は、導電性の金属ケースで構成することもできるが、樹脂製の筐体２０４で、内部を金属メッキした筐体を使用することもできる。
【００１９】
上述の第１のバネ部材１０３、第２のバネ部材１０５、第３のバネ部材１０７は、それぞれ弾性変形内でたわみ、また、複数個のバネ部材を配置し、密着箇所が複数箇所になるようにしているので、板金部材１０１がアンテナ２０１の外部導体、筐体２０４、シャーシ４０１および基板ユニット４０２と完全に密着する構造になっている。結果としてアンテナ２０１の外部導体は、板金部材１０１を介して筐体に密着するため、アンテナ２０１の外部導体の電位は、筐体２０４の電位、即ち、アース電位となるので、受信感度が良くなる。また、携帯無線機の送受信回路部を搭載したシャーシ４０１および送受信回路部の基板ユニット４０２も板金部材１０１を介して筐体２０４に完全に接触されるので、特に、高周波回路部の接地部分の電位を筐体２０４と同じアース電位にすることで、受信感度を良くすることができる。
【００２０】
図５は、携帯無線機の受信感度特性を示す図である。図５において、横軸は、チャネル番号、縦軸は、入力レベル（ｄＢｍ）を示している。なお、使用周波数帯は、約２６０ＭＨｚ帯で、入力レベルは、ＲＳＳＩ（Received Signal Strength Indicator）表示である。また、●印は、アンテナのみの場合の測定データを示し、×印は、アンテナに板金部材１０１を装着した場合の測定データを示している。図５から明らかなようにアンテナに板金部材１０１を装着した場合の方がアンテナのみの場合に比べて大幅に改善されていることが分かる。
【００２１】
更に、板金部材１０１の第１のバネ部材１０３、第２のバネ部材１０５、第３のバネ部材１０７の根元の部分（１１０で示す部分）を円弧状に形成することにより、バネ部に接触加重が掛かった時に、バネ部の根元に応力集中が起こって亀裂が入ることを防ぐ働きをする。
【００２２】
以上、本発明について詳細に説明したが、本発明は、ここに記載された携帯無線機の実施例に限定されるものではなく、上記以外の携帯無線機に広く適応することが出来ることは、言うまでも無い。
【図面の簡単な説明】
【００２３】
【図１】本発明で使用される板金部材の構成を示す図である。
【図２】本発明の一実施例の斜視図を示す図である。
【図３】本発明で使用されるアンテナの接続部分を示す斜視図である。
【図４】本発明の一実施例のアンテナ接続部分の拡大側面図を示す。
【図５】本発明を適用した場合の携帯無線機の受信感度特性を示す図である。
【符号の説明】
【００２４】
１０１：板金部材、１０２：穴部、１０３、１０５、１０７：バネ部材、１０４、１０６：突出部、１０８：位置合わせ用突起部、１０９：側壁、１１０：湾曲部、２０１：アンテナ、２０２：アンテナ接続部、２０３：円形凸部、２０４：筐体、２０５：同軸ケーブル、３０１：一部矩形状の凸部、４０１：送受信回路部を搭載したシャーシ、４０２：送受信回路部の基板ユニット。
【図１】
2008061204.tif 000003
【図２】
2008061204.tif 000004
【図３】
2008061204.tif 000005
【図４】
2008061204.tif 000006
【図５】
2008061204.tif 000007